(57)【要約】      （修正有）【課題】簡単に，安全に，経済的に使用できる簡易スタンドを提供する。【解決手段】紙，プラスチック板等からなる，表示窓をつけた表台紙，中台紙及び裏台紙の少なくとも３枚の同一サイズの台紙を重ね合わせ，表台紙と中台紙の間に写真等を鋏みこむための開口部を設けるとともに，中台紙及び裏台紙に，開脚可能な支脚部を設け，さらに支脚部の中央部に穴を設けることにより吊りさげたり貼ったりすることができる簡易スタンドである。【選択図】図４
0003103667.tif 000002
【実用新案登録請求の範囲】
【請求項１】
表示窓をつけた表台紙，中台紙及び裏台紙の少なくとも３枚の紙質又は樹脂膜片等の板状材を貼り合わせ，表台紙と中台紙の間に写真等を鋏みこむための開口部を設けるとともに，中台紙及び裏台紙に，開脚可能な支脚部を設けた簡易スタンドである。
【請求項２】
開脚可能な支脚部を形成するため，中台紙の中央部に，上部の一辺から所定の間隔をとった２本の垂線を，上部辺からおおよそ３分の２の位置まで，切りおろすことによってできる帯状の支脚部を，上部辺から２分の１の中央部の位置で折り曲げ，下部辺に水平に揃える。
裏台紙の中央部に，下部の一辺から，中台紙と同様に所定の間隔をとった２本の垂線を，下部辺からおおよそ３分の２の位置まで切りあげ，帯状の支脚部とする。
このようにして，形成される２枚の支脚部を貼り合わせることによってできる丈夫でしなやかで開脚可能な支脚部を設けたことを特徴とする請求項１の簡易スタンドである。
【請求項３】
中台紙の支脚部と裏台紙の支脚部との貼り合わせにあたり，中台紙の支脚部については，折り曲げた先端部分から，上部辺から切りおろしたおおよそ３分の２の位置までの帯状の支脚部は，両側面とも糊付けせず，また，裏台紙については，下部辺からおおよそ３分の２の位置まで切りあげた帯状の支脚部は，下部辺からおおよそ３分の１の位置より上の部分について糊付けをしない。
これらにより，中台紙と裏台紙で形成される支脚部の折曲部分周辺において，糊付けされない遊びの空間が生じることによりできる丈夫でしなやかな支脚部を設けたことを特徴とする請求項１の簡易スタンドである。
【請求項４】
中台紙と裏台紙の２枚の台紙に支脚部の役割を担わせ，中台紙の支脚部に折曲部分をつけることにより，裏台紙は，折曲部分を生じることなく，中台紙の開閉に合わせ開閉するだけで，スタンドとして使用する際は，きれいな弧を描くとともに，非使用時には，折り目のつかない，ほぼ真っ平な板状になる等，美観に優れた支脚部を設けたことを特徴とする請求項１の簡易スタンドである。
【考案の詳細な説明】
【技術分野】
【０００１】  この考案は，挟み込み式の写真立て等のスタンドを使用する際，スタンドを支えるため，裏側台紙に，折り曲がり機能を設けた，簡易スタンドに関するものである。
【背景技術】
【０００２】  従来，写真立て等のスタンドは，木の枠にガラスを嵌め込んだ高価なものと紙製の使い切りの比較的安価なものがあった。
【考案が解決しょうとする課題】
【０００３】  これらは，次のような問題点があった。
木の枠にガラスを嵌め込んだスタンドは，写真等を出し入れするのに，手間と時間を要し，ガラスを使用しているため，危険でもあり，さらに，支脚部が出っ張り重く分厚いため，持ち運びも不便だった。
また，紙製のスタンドは，写真を入れる際，周囲を両面テ−プにより，糊付けしてしまうため，再利用ができず，さらに，使用中にスタンドがしなったり裏側のスタンド部分（脚）が折れ曲がったりする等，華奢な作りのものが多かった。
なお，この紙製のスタンドは，比較的安価とはいえ，使い切りであること，弱いこと等を考えると経済的ではなかった。
本考案は，以上のような欠点をなくし，簡単に，安全に，経済的に使用できるように考えたものである。
【課題を解決するための手段】
【０００４】（１）同一サイズの紙質又は樹脂膜片等の板状材からなる，表示窓をつけた表台紙，中台紙及び裏台紙の少なくとも３枚台紙を重ね合わ貼り合わせ，表台紙と中台紙の間に写真等を鋏みこむための開口部を設ける。
（２）中台紙及び裏台紙を使用して開脚可能な支脚部を設ける。
このため，中台紙の中央部に，上部の一辺から所定の間隔をとった２本の垂線を，上部辺からおおよそ３分の２の位置まで，切りおろす。
（３）（２）の結果できる帯状の支脚部を，上部辺から２分の１の中央部の位置で折り曲げ，下部辺と水平になるよう揃える。
（４）裏台紙の中央部に，下部の一辺から，中台紙と同様に所定の間隔をとった２本の垂線を，下部辺からおおよそ３分の２の位置まで切りあげ，帯状の支脚部を設ける。
（５）中台紙の支脚部と裏台紙の支脚部との貼り合わせにあたっては，中台紙の支脚部については，折り曲げた先端部分から，上部辺から切りおろしたおおよそ３分の２の位置までの帯状の支脚部は，両側面とも糊付けせず，また，裏台紙については，下部辺からおおよそ３分の２の位置まで切りあげた帯状の支脚部は，下部辺から，おおよそ３分の１の位置より上の部分について糊付けをしない。  この結果，中台紙と裏台紙で形成される支脚部の折曲部分周辺において，糊付けされない遊びの空間が生じ，丈夫でしなやかな支脚部が形成される。
（６）中台紙と裏台紙の２枚の台紙には支脚部の役割を担わせ，中台紙の支脚部に折曲部分をつけることにより，裏台紙には，折曲部分を特定できる筋を生じることもなく，中台紙の開閉に合わせ開閉するだけある。
支脚部を裏台紙に正確に収納できるよう，裏台紙の２本の垂線は，斜め切りにし，支脚部の外側にあたる部分を狭く，内側を広くきる。
これらにより，スタンドとして使用する際は，きれいな弧を描くとともに，非使用時の支脚部を閉じた状態の時は，折り目のつかない，ほぼ真っ平な板状になる等，美観に優れた支脚部を設けることができる。
（７）この支脚部の中央部に，つりさげ用の穴を開ける。このことにより，つりさげて使用することも，画鋲等を用いて貼ることもできる。
【考案を実施するための最良の形態】
【０００５】以下，本考案を実施するための最良の形態について説明する。
（１）写真等のスタンドを立てる場合，裏台紙に収まっている支脚部を引き出し開く。
（２）写真等のスタンドの傾き角度は，支脚部の開きの大小により調節する。
（３）写真等のスタンドをしまう場合は，支脚部を閉じ，裏台紙に収める。
（４）写真等のスタンドを壁等につりさげたり貼ったりする場合は，支脚部に設けてある穴を使い，予め壁等に付いている釘にさしたり，画鋲を裏側からさして壁等に貼る。
【考案の効果】
【０００６】  デジカメ，プリンタ−の普及等により，写真の愛好者が増えている。
写真は，撮る楽しみ，見る楽しみ，飾る楽しみ，人にあげる楽しみがあり，そのための器材も整っているが，簡単に，安全に，経済的に使用できるスタンドは見当たらない。
市販されているスタンドは，表面はきれいであっても，裏面をみると，写真等を嵌め込むための装置や，複雑な構造をもった支脚部により，凹凸のある雑然としたものが多く，美観を損ねている。
本考案の簡易スタンドは，裏面は，帯条の支脚部が開いたり閉じたりする構造で，使用時には，支脚部がきれいな弧を描き，また，非使用時には，ほぼ真っ平になるなど，デザイン的にも，すっきりしている。
本考案は，写真等を見る楽しみ，飾る楽しみ，人にあげる楽しみをより大きくするために考えたもので，
（１）写真等の出し入れが簡単であり，時間もかからない。
（２）軽く，薄く，丈夫である。
（３）何回でも使える。
（４）しまったり持ち歩いたり送ったりする際，平らでぺちゃんこの状態になるので，扱いやすい。また，何枚でも重ねることができる。
（５）ガラス等を使用していないので安全である。
（６）吊るすことも，画鋲でさしとめることもできるので便利である。
等の特徴をもっている。さらに，この簡易スタンドの応用例としては，
（１）サイズを変えることにより，写真だけでなく，ポストカ−ド，プライスカ−ド，メニュ−カ−ド，ネ−ムプレ−トとしても使用できる。
（２）１枚目の表紙を，窓付きのフレ−ムとした簡易スタンドのほか，表紙部分には窓を付けず，四辺のうち，上部の一辺のみをのりづけした透明なビニ−ル板を付けた厚紙とすることにより，各種サイズの写真等を展示することができる。
（３）この簡易スタンドは，紙を重ね合わせた薄くて軽いものから，厚紙やプラスチック等をつかった重厚なもの，さらに，表紙部分を木，アルミ等の金属，ガラス等に変えるもの等，簡素なスタンドからより高級なスタンドまで，用途に合わせ多種多様な簡易スタンドとすることができる。
【図面の簡単な説明】
【０００７】
【図１】  本考案の簡易スタンドの表示窓を付けた場合の正面図である。
【図２】  本考案の簡易スタンドの背面図である。
【図３】  本考案の簡易スタンドの側面図である。
【図４】  本考案の簡易スタンドの斜視図である。
【符号の説明】
【０００８】        １  表台紙
２  中台紙
３  裏台紙
４  支脚部（スタンド）
５  吊りさげ用穴
６  表示窓
【図１】
0003103667.tif 000003
【図２】
0003103667.tif 000004
【図３】
0003103667.tif 000005
【図４】
0003103667.tif 000006